(57)【要約】      （修正有）【課題】ゴルフ練習場で練習する場合でも、ゴルフコースで実際にプレイするような感覚で練習でき、効率よく上達を図ることができるゴルフマットを提供する。【解決手段】ゴルフマット１０１は、ゴムマット、人工芝等の可撓性のシートを折りたたんで所定の高さの重畳部１０２とし、所定の密度で基台１０３に固定することにより製造される。可撓性のシートを重畳部が所定の高さになるように裁断して折ることにより個々の重畳部を形成し、所定の密度で、基台に縫製や、接着などにより固定する。【選択図】図１
0003216960.tif 000002
【実用新案登録請求の範囲】
【請求項１】
平面シートを折って形成した所定の高さの複数の重畳部を所定の密度で基台に固定することを特徴とするゴルフ用マット。
【請求項２】
前記所定の高さは略同一であることを特徴とする請求項１に記載のゴルフ用マット。
【請求項３】
前記平面シートを前記所定の高さの重畳部の各々に裁断して折り、前記所定の密度で前記基台に固定することを特徴とする請求項１または２に記載のゴルフ用マット。
【請求項４】
前記平面シートを折りたたんで前記所定の高さの重畳部を形成することを特徴とする請求項１または２に記載のゴルフ用マット。
【考案の詳細な説明】
【技術分野】
【０００１】
本考案は、ゴルフ練習具に関し、より具体的には、屋内や屋外のゴルフ練習場での打球練習時ゴルフボールを載置するゴルフマットを用いたゴルフ練習具に関する。
【背景技術】
【０００２】
一般にゴルフは屋外に設計されたゴルフプレイ専用のゴルフコースにおいて、所定のクラブを用い、ゴルフボールをティーグラウンドからグリーン上まで搬送し、グリーン上のホールにカップインさせるスポーツであるが、ティーグラウンドからグリーンまではクラブにより打球することによって、より少ない打数でグリーンまで到達させるかが重要である。静止したゴルフボールを正確に打球するためには、スイング動作によりクラブヘッドが正確にゴルフボールに当接することが必要であるが、特にアマチュアゴルファーはスイング動作に正確性を欠くので、しばしばクラブヘッドがゴルフボールに当接する点である打点が上下にぶれる。上にぶれる場合が、所謂トップと呼ばれるミスショットであり、一方打点が下にぶれる場合は、通常クラブヘッドはゴルフボールの手前でゴルフボールの載置された面、通常は地面あるいは芝などの葉の面で当接してほとんどゴルフボールには当たらない。これがいわゆるダフリと言われ、ゴルフボールの手前で地面や芝に当接するので、地面や芝を掘ってしまい、その結果クラブヘッドが極端に減速して、クラブヘッドがかろうじてゴルフボールに当たったとしても、所定の飛距離は望めない。
【０００３】
一方、ゴルフコースでのラウンドに備えて、打球練習が可能な練習施設であるゴルフ練習場が屋内、屋外を問わず数多く提供されている。安全性および多数の練習者を考慮して、ゴルフ練習場では各練習者用に、個別の打球用の空間である、打席が用意されており、通常は全ての打席が略同一方向に並んでいて、同時に多くの練習者が打球練習することができるようになっている。このような打席の床は通常コンクリートなどで整地されており、金属等を材料とする精緻な設計のクラブヘッドを損傷しないように、ゴム製あるいは芝丈の短い人工芝製のゴルフマットなどを敷き、その上面にゴルフボールを載置して打球練習を行う。このようなゴルフマットは、例えば特許文献１に記載されているように、図６及び７に示すような長方形（多くの場合長さ６０ｃｍ，幅３０ｃｍ）のスポンジゴムよりなるベース７０３の上に、芝丈７０２が１５ｍｍ前後実質上垂直に延びる人工芝７０１が全面に設けられたものが用いられており、人工芝の材料は、ナイロン６６、または塩化ビニールであり、直毛タイプ、カールタイプがある。このように、一般に、図６に示すように、従来のゴルフマットはゴム製か、人工芝であっても芝丈７０２は１０ｍｍ前後の短いものが使用される。これは、長い芝丈の人工芝を用いると長さのため撓って、平面性が損なわれて載置したゴルフボールの安定性が悪いことや、ゴルフボールが人工芝に埋没したりすることを避けるためである。
【先行技術文献】
【特許文献】
【０００４】
【特許文献１】特開平１０−１５５９６４
【考案の概要】
【考案が解決しようとする課題】
【０００５】
しかし、従来のゴルフ練習用マットを用いた打球練習において、ゴルフボールの載置された場所より手前を打つ、いわゆるダフリになった場合、ゴルフマットがゴム製や芝丈の短い人工芝であるためクラブヘッドが手前からゴルフマット上を滑ってゴルフボールに当たるため、最適な打点ではないがさほど低くはならず所定以上の当たりの打球となる。すなわち、図８に示すようにゴルフボール８０５よりも手前に入射したゴルフクラブ８０１は、入射方向としては矢印８０３で示す方向にゴルフマットに当接するが、その後矢印８０４で示すようにゴルフマット状を滑ってゴルフボール８０５に当たるため、ゴルフボールは下部ではあるがクラブヘッドのフェイス面に当たるので、所定以上の打球となっている。一方、実際のゴルフコースでこのようなダフリのスイングとなった場合、手前の芝に金属製のクラブヘッドが刺さるように入射するので、地面や芝を掘ってしまい、その結果クラブヘッドが極端に減速して、所定の飛距離は望めない。このように本来のゴルフコースでの大きなミスショットが、ゴルフ練習場での練習では、上述のように所定以上の打球となることがあるため、練習場での打球練習においてミスショットについての誤った判断となって、練習の効果が低くなるという問題がある。
【０００６】
本考案は上記従来の問題に鑑みてなされたものであり、ゴルフ練習場での打球練習においてゴルフボールよりも手前を打った場合でもゴルフマット上をクラブヘッドが滑ることなく、実際のゴルフコースにおいてゴルフボールを載置する地面や芝と同様の抵抗感を感じられ、ゴルフヘッドを減速させて、ゴルフコースでの実際のプレイと同様に練習をすることができるゴルフ練習具を提供することを目的とする。
【課題を解決するための手段】
【０００７】
上述の課題を解決するために、本願の請求項１に記載の考案は、ゴルフ用マットであって、平面シートを折って形成した所定の高さの複数の重畳部を所定の密度で基台に固定したことお特徴とする。
【０００８】
請求項２に記載の考案は、請求項１に記載のゴルフ用マットにおいて、所定の高さは略同一であることを特徴とする。
【０００９】
請求項３に記載の考案は、請求項１または２に記載のゴルフ用マットにおいて、平面シートを所定の高さの重畳部の各々に裁断して折り、所定の密度で基台に固定することを特徴とする。
【００１０】
請求項４に記載の考案は、請求項１または２に記載のゴルフ用マットにおいて、平面シートを折りたたんで所定の高さの重畳部を形成することを特徴とする。
【考案の効果】
【００１１】
本考案によると、平面シートを折って形成した所定の高さの重畳部を所定の密度で基台に固定しているので、ゴルフ練習場で練習する場合でも、ゴルフコースで実際にプレイするような感覚で練習することができ、効率よく上達を図ることが期待できるゴルフ練習具を提供することができる。
【図面の簡単な説明】
【００１２】
【図１】本考案の一実施形態のゴルフ練習具の例を示す側面図である。
【図２】本考案の一実施形態のゴルフ練習具の例を示す斜視図である。
【図３】本考案の一実施形態のゴルフ練習具の動作を説明するための図である。
【図４】本考案の別の実施形態のゴルフ練習具の例を示す図である。
【図５】本考案の別の実施形態のゴルフ練習具の動作を説明するための図である。
【図６】従来のゴルフ練習用マットの一例を示す図である。
【図７】従来のゴルフ練習用マットの一例の構造を示す図である。
【図８】従来のゴルフ練習用マットの一例の動作を説明するための図である。
【考案を実施するための形態】
【００１３】
以下、本考案のゴルフ練習具について図面を参照して実施形態を説明する。
図１に、本考案の一実施形態のゴルフ練習具の例であるゴルフ練習用マットを示す。本実施形態は、ゴルフの打球練習のためのゴルフ練習場の各打席に置かれるゴルフマットのものであるが、これに限られず、使用場所を問わず、ゴルフの打球練習をする際にゴルフボールを載置するいずれのマットにも適用することができる。
【００１４】
（第１実施形態のゴルフマット）
図１は、本考案の一実施形態のゴルフマットの例を示す図であり、図２は、斜視図である。また、図３は、本考案の一実施形態のゴルフ練習具の動作を説明するための図である。本実施形態のゴルフマット１０１は、ゴムマット、人工芝等の可撓性のシートを折りたたんで所定の高さの重畳部１０２とし、所定の密度で基台１０３に固定することにより製造される。この重畳部１０２は、図２に示すように縦方向に帯状になっているので重畳帯とも呼ぶことができる。本実施形態では、可撓性のシートを重畳部が所定の高さになるように裁断して折ることにより個々の重畳部１０２を形成し、所定の密度で、基台１０３に例えば縫製や、接着などにより固定する。その結果、重畳部１０２の上部は一定の高さに維持され、ゴルフボールを載置してもどちらか一方に転がって行ったり、重畳部間に入り込んだりすることがない。ここで、本実施形態では、重畳部１０２が設けられた上記構造を採用するだけで一定の効果を得ることができるが、重畳部の高さを３０ｍｍ以上にするとより効果的であり、さらに５０ｍｍ以上とすることが好ましい。ただし、練習者の立つ床との差が大きくなると、通常のスイングで違和感が生じてしまうため、練習者の足下にもマットなどを置いてゴルフボールと練習者の高低を合わせるようにすることもできる。
【００１５】
所定の密度については、１０ｃｍあたり５個以上が好ましいが、これに限られず本技術分野で知られた手法により適切な密度を定めることができる。逆に密度が高すぎると、後述するようにダフリなどのミスショットをした時でも、クラブヘッドが重畳部間に入ることができなくなり、上面を滑ってしまう恐れがあるため、本技術分野の常識で設定可能な密度に押さえることもできる。
【００１６】
以上のように重畳部を構成することにより、各重畳部間は所定の隙間を形成することとなるから、クラブヘッドがゴルフボールを載置した位置の手前に当接した場合、クラブヘッドが重畳部間に刺さるような形で入射し、ゴルフコースの芝の上で打球したときのような感触を得ることができ、クラブヘッドの動作も同様にすることができる。すなわち、図３を参照すると、クラブヘッド３０１がゴルフボール３０４の載置された位置よりも手前に矢印３０３で示すように鋭角に入射すると、重畳部１０２間にクラブヘッド３０１が刺さるような形で入るため、クラブヘッドは急激に減速し、かろうじて重畳部１０２の上部まで抜けたとしても、ゴルフボール３０４にはかなりの低速で当たることとなり、球速は極端に落ち、飛距離も得られない。この状況は、ゴルフコースの芝の上で打球した場合にダフったときとほとんど同様であり、ゴルフ練習場での練習でもゴルフコースの実際の感触や、実際に近い打感や打球を得ることができる。
【００１７】
本実施形態では、一般的なゴムシートや人工芝で重畳部を作成して所定の密度で基台に貼り付けるという簡易な構成により、従来のゴルフマットでは得られなかった実際にゴルフコースの芝の上でプレイするような感覚で練習することができ、これにより効率よいゴルフの練習が可能となる。
【００１８】
（第２実施形態のゴルフマット）
本実施形態では、基本的に所定の高さの重畳部を所定の密度で基台に貼り付ける点で、上述の第１実施形態と同様であるが、重畳部の形成方法が異なる。すなわち、本実施形態では、ゴムシートや人工芝などのシートを裁断するのではなく、そのまま折りたたんで蛇腹状にすることにより重畳部あるいは重畳帯を形成する。
【００１９】
具体的に図面を参照して説明すると、図４は、本考案の別の実施形態のゴルフ練習具の例を示す図であり、図５は、本実施形態のゴルフ練習具の動作を説明するための図である。本実施形態のゴルフマット４０１は、図４に示すように、シートを折りたたんで基台４０３に固定具４０４等によりシートを所定の密度で固定することにより重畳部４０２を形成する。シート自体は可撓性を有しているので、折りたたみながら固定具４０４等で固定することにより、第１実施形態と同様、適度な密度で重畳部が形成され、その結果、重畳部４０２の上部は一定の高さを維持され、ゴルフボールを載置してもどちらかに転がって行ったり、重畳部間に埋没したりすることがない。
【００２０】
一方で、各重畳部間は所定の隙間を形成することとなるから、クラブヘッドがゴルフボールを載置した個所の手前に当接した場合、クラブヘッドが重畳部間に刺さるような形で入射し、ゴルフコースの芝の上で打球したときのような感触を得ることができ、クラブヘッドの動作も同様にすることができる。すなわち、図５を参照すると、クラブヘッド５０１がゴルフボール５０４の載置された位置に矢印５０３で示すように鋭角に入射すると、重畳部４０２間にクラブヘッド５０１が刺さるような形で入るため、クラブヘッドは急激に減速し、かろうじて重畳部４０２の上部まで抜けたとしても、ゴルフボール５０４にはかなりの低速で当たることとなり、球速は極端に落ち、飛距離も得られない。この状況は、ゴルフコースの芝の上で打球したときとほとんど同様であり、ゴルフ練習場での練習でもゴルフコースの実際の感触や、実際に近い打感や打球を得ることができる。
【００２１】
ここで、本実施形態でも第１実施形態と同様に、重畳部４０２が設けられた上記構造を採用するだけで一定の効果を得ることができるが、重畳部の高さを３０ｍｍ以上にするとより効果的であり、さらに５０ｍｍ以上とすることが好ましい。ただし、練習者の立つ床との差が大きくなると、通常のスイングで違和感が生じてしまうため、練習者の足下にもマットなどを置いてゴルフボールと練習者の高低を合わせるようにすることもできる。
【００２２】
所定の密度については、１０ｃｍあたり５個以上が好ましいが、これに限られず本技術分野で知られた手法により適切な密度を定めることができる。逆に密度が高すぎると、後述するようにダフリなどのミスショットをした時でも、クラブヘッドが重畳部間に入ることができなくなり、上面を滑ってしまう恐れがあるため、本技術分野の常識で設定可能な密度に押さえることもできる。
【図１】
0003216960.tif 000003
【図２】
0003216960.tif 000004
【図３】
0003216960.tif 000005
【図４】
0003216960.tif 000006
【図５】
0003216960.tif 000007
【図６】
0003216960.tif 000008
【図７】
0003216960.tif 000009
【図８】
0003216960.tif 000010